(57)【特許請求の範囲】
【請求項１】
遊技媒体を取り扱う遊技用装置に前記遊技媒体を供給するための遊技媒体供給具を前記遊技用装置の開口部に取り付けるための取付治具であって、
前記遊技媒体供給具を保持可能に構成された本体と、
前記本体に設けられた第１の係止片と、
前記本体に対してスライド可能に取り付けられたスライド部と、
前記スライド部に設けられた第２の係止片と、
前記第２の係止片が前記第１の係止片から離間する方向に前記スライド部を付勢するように構成された付勢部材とを備え、
前記スライド部は、前記付勢部材によって前記第２の係止片が前記第１の係止片から離間し且つ前記第１の係止片及び前記第２の係止片が前記開口部に係止する第１の位置と、前記第２の係止片が前記第１の位置よりも前記第１の係止片に近づき且つ前記第１の係止片及び前記第２の係止片による前記開口部への係止が解除される第２の位置との間で移動するように構成されている、遊技媒体供給具用の取付治具。
【請求項２】
前記付勢部材は、鉛直方向に沿って前記スライド部を付勢するように構成されている、請求項１に記載の取付治具。
【請求項３】
前記第１の係止片は、前記第２の係止片とは反対側に位置する第１の側縁を含み、
前記第２の係止片は、前記第１の係止片とは反対側に位置する第２の側縁を含み、
前記第１の側縁は、前記第１の係止片の先端に向かうにつれて、前記第２の係止片との離間距離が段階的に増加する階段形状を呈しており、
前記第２の側縁は、前記第２の係止片の先端に向かうにつれて、前記第１の係止片との離間距離が段階的に増加する階段形状を呈している、請求項１又は２に記載の取付治具。
【請求項４】
前記第１の側縁の段差部は、外方に拡がるように傾斜しており、
前記第２の側縁の段差部は、外方に拡がるように傾斜している、請求項３に記載の取付治具。
【請求項５】
前記付勢部材の付勢力に抗して前記スライド部を前記第２の位置において制止させるように構成されたロック部をさらに備える、請求項１〜４のいずれか一項に記載の取付治具。
【請求項６】
前記本体は、長孔状を呈する第１のスリット開口を含み、
前記スライド部は、長孔状を呈する第２のスリット開口を含み、
前記第１のスリット開口内には、前記スライド部に設けられた第１の案内部材が配置されており、
前記第２のスリット開口内には、前記本体に設けられた第２の案内部材が配置されており、
前記第１の案内部材及び前記第２の案内部材は、前記第１のスリット開口及び前記第２のスリット開口の長手方向において前記スライド部を案内するように構成されており、
前記ロック部は、前記第２のスリット開口の長手方向に対して交差するように前記第２のスリット開口から窪み且つ前記第２の案内部材が係止可能に構成された係止凹部である、請求項５に記載の取付治具。
【請求項７】
前記係止凹部は、前記第１の係止片及び前記第２の係止片の突出方向と同じ側に窪んでいる、請求項６に記載の取付治具。
【発明の詳細な説明】
【技術分野】
【０００１】
本開示は、遊技媒体供給具用の取付治具に関する。
【背景技術】
【０００２】
特許文献１は、メダル遊技機又はメダル貸出機に遊技用メダルを供給するように構成されたメダル補給装置を開示している。特許文献１のメダル補給装置のシュートは、メダル遊技機又はメダル貸出機に対してネジ等で固定されている。
【先行技術文献】
【特許文献】
【０００３】
【特許文献１】特開２００９−１２５３８７号公報
【発明の概要】
【発明が解決しようとする課題】
【０００４】
特許文献１のメダル補給装置の場合、既設のメダル遊技機を新たなメダル遊技機に入れ替える際（いわゆる、新台入れ替えの際）には、作業者がネジを外して、既設のメダル遊技機とメダル補給装置とを分離した後、新たなメダル遊技機に対してメダル補給装置をネジ止めする必要があった。遊技店によっては１００台以上のメダル遊技機を入れ替えることもあり、メダル補給装置の着脱作業に手間と時間を要することがあった。
【０００５】
そこで、本開示は、手間なく短時間で着脱作業を行うことが可能な遊技媒体供給具用の取付治具を説明する。
【課題を解決するための手段】
【０００６】
遊技媒体供給具用の取付治具の一例は、遊技媒体を取り扱う遊技用装置に遊技媒体を供給するための遊技媒体供給具を遊技用装置の開口部に取り付けるために用いられるものであってもよい。取付治具は、遊技媒体供給具を保持可能に構成された本体と、本体に設けられた第１の係止片と、本体に対してスライド可能に取り付けられたスライド部と、スライド部に設けられた第２の係止片と、第２の係止片が第１の係止片から離間する方向にスライド部を付勢するように構成された付勢部材とを備えていてもよい。スライド部は、付勢部材によって第２の係止片が第１の係止片から離間し且つ第１の係止片及び第２の係止片が開口部に係止する第１の位置と、第２の係止片が第１の位置よりも第１の係止片に近づき且つ第１の係止片及び第２の係止片による開口部への係止が解除される第２の位置との間で移動するように構成されていてもよい。
【発明の効果】
【０００７】
本開示に係る遊技媒体供給具用の取付治具によれば、手間なく短時間で着脱作業を行うことが可能となる。
【図面の簡単な説明】
【０００８】
【図１】図１は、遊技システムの一例を示す斜視図である。
【図２】図２は、供給装置の一例を示す分解斜視図である。
【図３】図３は、図２の供給装置を示す斜視図である。
【図４】図４は、取付治具の一例を示す斜視図である。
【図５】図５は、図４の取付治具を示す側面図である。
【図６】図６は、図４の取付治具の構成要素の一部を分解して示す右前方斜視図である。
【図７】図７は、図４の取付治具の構成要素の一部を分解して示す左前方斜視図である。
【図８】図８は、図４の取付治具において、操作ハンドルが引き下げられた状態を示す斜視図である。
【図９】図９は、図４の取付治具を用いて遊技媒体供給具を遊技用装置に取り付ける方法を説明するための側面図である。
【図１０】図１０は、図９の後続の工程を示す側面図である。
【図１１】図１１は、図１０の後続の工程を示す側面図である。
【発明を実施するための形態】
【０００９】
以下の説明において、同一要素又は同一機能を有する要素には同一符号を用いることとし、重複する説明は省略する。
【００１０】
［遊技システム］
まず、図１〜図３を参照して、遊技システム１について説明する。遊技システム１は、遊技媒体（例えば、遊技用メダル、遊技球など）を用いた遊技を遊技者に提供するように構成されている。遊技システム１は、図１に例示されるように、例えば、遊技機２と、貸出装置３と、貯留タンク４と、送出装置５と、回収装置６と、供給装置１０とを備える。なお、本明細書において、遊技機２及び貸出装置３をまとめて、遊技用装置と称することがある。
【００１１】
遊技機２は、遊技媒体の投入により遊技者が遊技を行えるように構成されている。遊技機２は、例えば、遊技者が遊技媒体を投入して所定の操作を行った際に抽選処理を行い、抽選結果が当選であるときに遊技者に遊技媒体を払い出すように構成されていてもよい。遊技機２は、例えば、遊技用メダルを利用したパチスロ機、遊技球を利用したパチンコ機などであってもよい。遊技システム１が複数の遊技機２を備える場合、複数の遊技機２は、ベース台１ａ上において横方向に並ぶように配置されていてもよい。
【００１２】
貸出装置３は、例えば、金銭の支払いに応じて、遊技者に遊技媒体を貸し出すように構成されている。遊技システム１が複数の貸出装置３を備える場合、図１に例示されるように、各貸出装置３は、対応する遊技機２に一つずつ隣接配置されていてもよい。貯留タンク４は、複数の遊技媒体を貯留するように構成されている。
【００１３】
送出装置５は、貯留タンク４に貯留されている遊技媒体を、遊技用装置に送り出すように構成されている。送出装置５は、送出管５ａと、分岐器５ｂと、分岐管５ｃとを含む。送出管５ａは、遊技機２及び貸出装置３の上方において、水平に沿って延びている。送出管５ａの基端部は、貯留タンク４に接続されている。分岐器５ｂは、送出管５ａの中途で且つ遊技機２及び貸出装置３に対応する位置に配置されている。分岐管５ｃは、分岐器５ｂから供給装置１０に至るように、上下方向に沿って延びている。そのため、遊技媒体が貯留タンク４から送出管５ａに搬出されると、遊技媒体は、遊技媒体の供給先となる遊技用装置に対応する分岐器５ｂを介して分岐管５ｃを落下し、供給装置１０から供給先の遊技用装置に供給される。
【００１４】
回収装置６は、遊技機２から排出された遊技媒体を回収して、貯留タンク４に戻すように構成されている。回収装置６は、回収管６ａと、シュート６ｂとを含む。回収管６ａは、遊技機２及び貸出装置３の下方（例えばベース台１ａの内部）において、水平に沿って延びている。シュート６ｂは、遊技機２の排出口（図示せず）から回収管６ａに至るように、斜め下方に延びている。そのため、遊技機２の排出口から排出された遊技媒体は、シュート６ｂを滑り降りて回収管６ａに至り、回収管６ａによって貯留タンク４へと搬送される。
【００１５】
供給装置１０は、図２及び図３に例示されるように、遊技媒体供給具２０と、取付治具１００とを含む。遊技媒体供給具２０は、送出装置５によって搬送された遊技媒体を、遊技用装置の内部に案内するように構成されている。遊技媒体供給具２０は、図１及び後述する図９〜図１１に示されるように、遊技用装置の後壁Ｗに取り付けられる。遊技媒体供給具２０は、受容管２１と、連結具２２と、シュート２３とを含む。
【００１６】
受容管２１は、分岐管５ｃよりも大きな開口面積を有しており、分岐管５ｃの下端部を収容可能に構成されている。受容管２１は、図２及び図３に例示されるように、上方に向かうにつれて開口面積が大きくなる漏斗形状を呈していてもよい。連結具２２は、受容管２１とシュート２３との間に位置しており、これらを連結するように上下方向に延びている。
【００１７】
シュート２３は、連結具２２の下端部に接続されており、斜め下方に向けて延びている。シュート２３の先端部は、下方に向けて開放されている。遊技媒体供給具２０が遊技用装置の後壁Ｗに取り付けられた状態において、シュート２３の先端部の開口は、遊技用装置の内部に設けられているホッパＨ（後述する図９〜図１１参照）と対向する。そのため、分岐管５ｃを落下した遊技媒体は、遊技媒体供給具２０によって案内されて、シュート２３の先端部の開口から遊技用装置のホッパＨに供給される。
【００１８】
取付治具１００は、遊技媒体供給具２０を遊技用装置の後壁Ｗに対して着脱するように構成されている。取付治具１００は、図２及び図３に例示されるように、連結具２２に設けられた固定板２４に対して、締結部材Ｂ１（例えば、ボルト、ネジなど）によって締結されている。そのため、遊技媒体供給具２０は、取付治具１００に保持された状態で、後壁Ｗに対して着脱される。
【００１９】
［取付治具の詳細な構成］
続いて、図４〜図８を参照して、取付治具１００の詳細な構成について説明する。以下の説明において、「前」、「後」、「左」、「右」、「上」、「下」はそれぞれ、図４〜図８における「前」、「後」、「左」、「右」、「上」、「下」に対応する。取付治具１００は、本体１１０と、操作ハンドル１２０（スライド部）と、付勢部材１３０とを含む。
【００２０】
本体１１０は、図４〜図７に示されるように、背板１１１と、一対の側板１１２と、保持板１１３，１１４と、連結板１１５とを含んでいる。背板１１１、側板１１２、保持板１１３，１１４及び連結板１１５はそれぞれ、金属板が所定の形状に切り曲げ加工されて構成されている。
【００２１】
背板１１１は、図４に示されるように、一対の側板１１２の間に位置しており、一対の側板１１２を接続している。背板１１１の左端部は、Ｌ字状に屈曲されており、左側の側板１１２の後端部と締結具（例えば、ボルト、リベット等）によって固定されている。背板１１１の右端部も同様に、Ｌ字状に屈曲されており、右側の側板１１２の後端部と締結具によって固定されている。
【００２２】
一対の側板１１２は、互いに対向するように配置されている。左側の側板１１２と右側の側板１１２とは、ほぼ左右対称であるので、以下では、左側の側板１１２の構成について説明し、右側の側板１１２の説明は省略する。
【００２３】
側板１１２の上側前端部１１２ａは、外側（他方の側板１１２とは離れる側）に拡がりつつ前方に突出するように階段状に折り曲げられている。上側前端部１１２ａは、締結部材Ｂ１を介して遊技媒体供給具２０の固定板２４と接続可能に構成されている。側板１１２の下側前端部１１２ｂは、内側（他方の側板１１２に近づく側）に向けてＬ字状に折り曲げられている。下側前端部１１２ｂの下端部には、図４〜図７に示されるように、前方（背板１１１とは離れる側）に向けて突出する係止片１１６（第１の係止片）が設けられている。
【００２４】
側板１１２のうち保持板１１３と保持板１１４との間の領域には、図５〜図７に示されるように、スリット開口１１２ｃ（第１のスリット開口）と、貫通孔１１２ｄとが形成されている。スリット開口１１２ｃは、上下方向に延びる長孔で且つ側板１１２の厚さ方向に貫通する貫通孔である。スリット開口１１２ｃの長手方向は、後述するスライド部材１２１（スライド部）の移動方向（スライド方向）でもある。すなわち、スリット開口１１２ｃは、スライド部材１２１の移動方向に沿って延びているともいえる。貫通孔１１２ｄは、図６及び図７に示されるように、スリット開口１１２ｃの下方に位置している。
【００２５】
保持板１１３は、図４及び図６に示されるように、側板１１２の前方上部の内側に配置されており、略Ｌ字状を呈している。保持板１１３は、図６に示されるように、第１部分１１３ａと、第１部分１１３ａに対して略直交して延びる第２部分１１３ｂとを含む。第１部分１１３ａは、締結具によって側板１１２に固定されている。第２部分１１３ｂは、側板１１２に対して略直交するように、内側（他方の側板１１２に近づく側）に向けて突出している。第２部分１１３ｂには、その厚さ方向に貫通する２つの貫通孔１１３ｃが設けられている。２つの貫通孔１１３ｃは、前後方向に並んでいる。
【００２６】
保持板１１４は、図４及び図６に示されるように、側板１１２の下部の内側に配置されており、Ｌ字状を呈している。保持板１１４は、図６に示されるように、第１部分１１４ａと、第１部分１１４ａに対して略直交して延びる第２部分１１４ｂとを含む。第１部分１１４ａは、締結具によって側板１１２に固定されている。第２部分１１４ｂは、側板１１２に対して略直交するように、内側（他方の側板１１２に近づく側）に向けて突出している。第２部分１１４ｂには、その厚さ方向に貫通する２つの貫通孔１１４ｃが設けられている。２つの貫通孔１１４ｃは、前後方向に並んでいる。
【００２７】
連結板１１５は、図４に示されるように、左側の保持板１１４と右側の保持板１１４とを連結している。すなわち、連結板１１５の左端部は左側の保持板１１４と締結具によって固定されており、連結板１１５の右端部は右側の保持板１１４と締結具によって固定されている。
【００２８】
係止片１１６は、図５及び図６に示されるように、階段状を呈する下縁１１６ａ（第１の側縁）を含む。下縁１１６ａは、後述する係止片１２４とは反対側に位置しており、係止片１１６の先端（前方）に向かうにつれて係止片１２４との距離が段階的に増加している。すなわち、下縁１１６ａは、係止片１１６の先端（前方）に向かうにつれて下方に段が増加している。
【００２９】
下縁１１６ａは、前後方向（水平方向）に沿って延びるステップ部と、上下方向（鉛直方向）に沿って延び且つ隣り合うステップ部を接続する段差部とを含む。段差部は、ステップ部に対して略９０°の角度で交差していてもよい。あるいは、段差部は、ステップ部との間で鈍角を形成するようにステップ部と交差していてもよい。すなわち、段差部は、外方に向けて拡がるように傾斜していてもよい。
【００３０】
操作ハンドル１２０は、図４〜図７に示されるように、一対のスライド部材１２１と、一対の補助部材１２２（スライド部）と、把持部材１２３とを含む。一対のスライド部材１２１はそれぞれ、一対の側板１１２の外側に配置されており、上下方向にスライド可能に構成されている。一対の補助部材１２２はそれぞれ、一対の側板１１２の内側に配置されており、スライド部材１２１のスライド動作を補助するように構成されている。左側のスライド部材１２１及び補助部材１２２と、右側のスライド部材１２１及び補助部材１２２とは、ほぼ左右対称であるので、以下では、左側のスライド部材１２１及び補助部材１２２の構成について説明し、右側のスライド部材１２１及び補助部材１２２の説明は省略する。
【００３１】
スライド部材１２１は、上下方向に延びており、長尺状を呈している。スライド部材１２１の両側縁は外側に屈曲されている。そのため、スライド部材１２１は、上下方向から見てＣ字状を呈している。スライド部材１２１には、スリット開口１２１ａ（第２のスリット開口）と、係止凹部１２１ｂ（ロック部）と、貫通孔１２１ｃと、２つの貫通孔１２１ｄとが形成されている。
【００３２】
スリット開口１２１ａは、上下方向（スライド部材１２１の延在方向）に延びる長孔で且つスライド部材１２１の厚さ方向に貫通する貫通孔である。スリット開口１２１ａの長手方向は、スライド部材１２１の移動方向（スライド方向）でもある。すなわち、スリット開口１２１ａは、スライド部材１２１の移動方向に沿って延びているともいえる。
【００３３】
係止凹部１２１ｂは、スリット開口１２１ａの上端部に設けられている。係止凹部１２１ｂは、スリット開口１２１ａの延在方向に交差するように、スリット開口１２１ａから窪んでいる。換言すれば、係止凹部１２１ｂは、スリット開口１２１ａと連通しており、係止片１１６及び後述する係止片１２４の突出方向（前方）と同じ側に窪んでいる。係止凹部１２１ｂは、例えば、スリット開口１２１ａの前方に向けて窪んでいてもよいし、スリット開口１２１ａの前方で且つやや下方に向けて窪んでいてもよい（図４〜図６参照）。したがって、スリット開口１２１ａ及び係止凹部１２１ｂは、全体として、Ｌ字形状を呈していてもよいし、Ｊ字形状を呈していてもよい。
【００３４】
貫通孔１２１ｃは、図６及び図７に示されるように、スライド部材１２１の上端部に設けられている。２つの貫通孔１２１ｄは、上下方向に並ぶように、スライド部材１２１の下端部に設けられている。
【００３５】
補助部材１２２は、図４に示されるように、保持板１１３と保持板１１４との間に配置されている。補助部材１２２は、図６及び図７に示されるように、第１部分１２２ａと、第２部分１２２ｂと、第３部分１２２ｃとを含む。第１部分１２２ａ、第２部分１２２ｂ及び第３部分１２２ｃは、前後方向から見たときに、略Ｃ字形状を呈している。すなわち、第１部分１２２ａ及び第２部分１２２ｂは、水平方向に延びると共に、上下方向において対向している。第３部分１２２ｃは、上下方向において延びると共に、第１部分１２２ａの左端縁と第２部分１２２ｂの左端縁とを接続している。
【００３６】
第１部分１２２ａには、その厚さ方向に貫通する２つの貫通孔１２２ｄが形成されている。２つの貫通孔１２２ｄは、前後方向に並んでいる。第２部分１２２ｂには、その厚さ方向に貫通する２つの貫通孔１２２ｅが形成されている。２つの貫通孔１２２ｅは、前後方向に並んでいる。上下方向から見たときに、前方の貫通孔１１３ｃと、前方の貫通孔１２２ｄと、前方の貫通孔１２２ｅと、前方の貫通孔１１４ｃとは、略重なり合っている。上下方向から見たときに、後方の貫通孔１１３ｃと、後方の貫通孔１２２ｄと、後方の貫通孔１２２ｅと、後方の貫通孔１１４ｃとは、略重なり合っている。
【００３７】
第３部分１２２ｃには、図７に示されるように、その厚さ方向に貫通する貫通孔１２２ｆが形成されている。第３部分１２２ｃには、図６及び図７に示されるように、前方（背板１１１とは離れる側）に向けて突出する係止片１２４（第２の係止片）が設けられている。
【００３８】
係止片１２４は、階段状を呈する上縁１２４ａ（第２の側縁）を含む。上縁１２４ａは、係止片１１６とは反対側に位置しており、係止片１２４の先端（前方）に向かうにつれて係止片１１６との距離が段階的に増加している。すなわち、上縁１２４ａは、係止片１２４の先端（前方）に向かうにつれて上方に段が増加している。
【００３９】
上縁１２４ａは、前後方向（水平方向）に沿って延びるステップ部と、上下方向（鉛直方向）に沿って延び且つ隣り合うステップ部を接続する段差部とを含む。段差部は、ステップ部に対して略９０°の角度で交差していてもよい。あるいは、段差部は、ステップ部との間で鈍角を形成するようにステップ部と交差していてもよい。すなわち、段差部は、外方に向けて拡がるように傾斜していてもよい。
【００４０】
把持部材１２３は、取付治具１００の操作のために、作業者による把持が可能に構成されている。把持部材１２３は、図４、図６及び図７に示されるように、左右方向に延びており、長尺状を呈している。把持部材１２３の各端部１２３ａは、上方に向けて折り曲げられている。そのため、把持部材１２３は、前後方向から見て、略Ｃ字形状を呈している。端部１２３ａには、２つの貫通孔１２３ｂが形成されている。２つの貫通孔１２３ｂは、上下方向に並んでいる。
【００４１】
図４及び図６に示されるように、保持板１１３と保持板１１４とは２つの締結部材Ｂ２によって連結されており、補助部材１２２は２つの締結部材Ｂ２に対して取り付けられている。具体的には、一方の締結部材Ｂ２は、前方の貫通孔１１４ｃと、前方の貫通孔１２２ｄと、前方の貫通孔１２２ｅと、前方の貫通孔１１４ｃとに挿通されており、一方の締結部材Ｂ２の下端部が前方の貫通孔１１４ｃに締結されている。他方の締結部材Ｂ２は、後方の貫通孔１１４ｃと、後方の貫通孔１２２ｄと、後方の貫通孔１２２ｅと、後方の貫通孔１１４ｃとに挿通されており、他方の締結部材Ｂ２の下端部が後方の貫通孔１１４ｃに締結されている。そのため、２つの締結部材Ｂ２は、補助部材１２２を自身に沿って上下方向に案内するように構成されている。締結部材Ｂ２は、例えば、下端部にネジ山が形成され、他の部分にはネジ山が形成されていない、半ネジボルトであってもよい。この場合、貫通孔１２２ｄ，１２２ｅの内周面が締結部材Ｂ２の外周面に引っ掛かり難くなるので、補助部材１２２が締結部材Ｂ２に沿ってより円滑に案内される。
【００４２】
図７に示されるように、スライド部材１２１及び補助部材１２２は、締結部材Ｂ３（第１の案内部材）によって側板１１２に取り付けられている。具体的には、締結部材Ｂ３は、スライド部材１２１の貫通孔１２１ｃと、側板１１２のスリット開口１１２ｃと、補助部材１２２の第３部分１２２ｃの貫通孔１２２ｆとに挿通されており、締結部材Ｂ３の先端部が貫通孔１２２ｆに締結されている。すなわち、締結部材Ｂ３はスライド部材１２１及び補助部材１２２に設けられており、スリット開口１１２ｃ内には締結部材Ｂ３が配置されている。そのため、スリット開口１１２ｃ及び締結部材Ｂ３は、スライド部材１２１及び補助部材１２２をスリット開口１１２ｃの長手方向（上下方向）に案内するように構成されている。また、締結部材Ｂ３は、自身を中心軸としてスライド部材１２１を回転可能に保持するように構成されている。締結部材Ｂ３は、例えば、下端部にネジ山が形成され、他の部分にはネジ山が形成されていない、半ネジボルトであってもよい。この場合、スリット開口１１２ｃの内周面が締結部材Ｂ３の外周面に引っ掛かり難くなるので、スライド部材１２１及び補助部材１２２がスリット開口１１２ｃに沿ってより円滑に案内される。また、貫通孔１２１ｃの内周面が締結部材Ｂ３の外周面に引っ掛かり難くなるので、スライド部材１２１がより円滑に回転する。
【００４３】
図７に示されるように、スライド部材１２１は、締結部材Ｂ４（第２の案内部材、ロック部）によって側板１１２に取り付けられている。具体的には、締結部材Ｂ４は、スライド部材１２１のスリット開口１２１ａと、側板１１２の貫通孔１１２ｄとに挿通されており、締結部材Ｂ４の先端部が貫通孔１１２ｄに締結されている。すなわち、締結部材Ｂ４は側板１１２に設けられており、スリット開口１２１ａ内には締結部材Ｂ４が配置されている。そのため、スリット開口１２１ａ及び締結部材Ｂ４は、スリット開口１１２ｃと同様に、スライド部材１２１及び補助部材１２２をスリット開口１２１ａの長手方向（上下方向）に案内するように構成されている。締結部材Ｂ４は、例えば、下端部にネジ山が形成され、他の部分にはネジ山が形成されていない、半ネジボルトであってもよい。この場合、スリット開口１２１ａの内周面が締結部材Ｂ４の外周面に引っ掛かり難くなるので、スライド部材１２１及び補助部材１２２がスリット開口１１２ｃに沿ってより円滑に案内される。
【００４４】
図６及び図７に示されるように、スライド部材１２１と把持部材１２３とは、２つの締結部材Ｂ５によって接続されている。具体的には、一方の締結部材Ｂ５は、スライド部材１２１の上側の貫通孔１２１ｄと、把持部材１２３の上側の貫通孔１２３ｂとに挿通されており、両者に締結されている。他方の締結部材Ｂ５は、スライド部材１２１の下側の貫通孔１２１ｄと、把持部材１２３の下側の貫通孔１２３ｂとに挿通されており、両者に締結されている。
【００４５】
付勢部材１３０は、例えば円筒コイルバネであり、補助部材１２２と保持板１１４との間に位置している。付勢部材１３０内には締結部材Ｂ２が挿通されている。付勢部材１３０は、保持板１１４から離れる側に補助部材１２２を付勢するように構成されている。換言すれば、付勢部材１３０は、係止片１１６と係止片１２４とが離間する方向に補助部材１２２を付勢するように構成されている。付勢部材１３０は、図４、図６及び図７等に示されるように、鉛直方向に沿って補助部材１２２を付勢してもよい。
【００４６】
［取付装置の動作］
続いて、上記の取付治具１００の動作について、図４、図５及び図８を参照して説明する。具体的には、図４及び図５の初期状態から図８の取付準備状態に至る取付治具１００の動作について説明する。
【００４７】
まず、図４及び図５に示される初期状態において、締結部材Ｂ３は、側板１１２のスリット開口１１２ｃの上端部に位置しており、締結部材Ｂ４は、スライド部材１２１のスリット開口１２１ａの下端部に位置している。すなわち、操作ハンドル１２０は付勢部材１３０によって全体として上方に位置しており、係止片１２４は係止片１１６から離間している（初期位置）。
【００４８】
初期状態において、作業者が把持部材１２３を把持して付勢部材１３０の付勢力に抗して操作ハンドル１２０を引き下げることにより、図８に示されるように、係止片１２４がスライド部材１２１及び補助部材１２２と共に下方に移動する。すなわち、操作ハンドル１２０は全体として下方に位置し、係止片１２４は係止片１１６に近づく位置（第２の位置）まで移動する。この状態において、締結部材Ｂ３は、側板１１２のスリット開口１１２ｃの下端部に位置しており、締結部材Ｂ４は、スライド部材１２１のスリット開口１２１ａの上端部に位置している。
【００４９】
続いて、作業者が把持部材１２３を把持して操作ハンドル１２０を後方（作業者側）に引き寄せると、操作ハンドル１２０は、締結部材Ｂ３を中心軸として回転する。これにより、締結部材Ｂ４が係止凹部１２１ｂ内に位置する。この状態で作業者が把持部材１２３を離すと、操作ハンドル１２０は付勢部材１３０によって全体として上方に移動しようとするものの、締結部材Ｂ４が係止凹部１２１ｂに係止されているので、操作ハンドル１２０の上方への移動ができなくなる。制止される。すなわち、係止凹部１２１ｂは、締結部材Ｂ４と共に、付勢部材１３０の付勢力に抗して操作ハンドル１２０（スライド部材１２１）を第２の位置で制止させるロック部として機能する。こうして、取付治具１００は、遊技媒体供給具２０を遊技用装置に取り付けるための準備が整った状態（取付準備状態）となる。
【００５０】
［取付治具を用いた遊技媒体供給具の取り付け方法］
続いて、図９〜図１１を参照して、取付治具１００を用いて遊技用装置の後壁Ｗに設けられている開口部Ｗａに遊技媒体供給具２０を取り付ける方法について説明する。なお、取付治具１００は予め、締結部材Ｂ１によって遊技媒体供給具２０に固定されている（図２、図３及び図９〜図１１参照）。
【００５１】
まず、図９に示されるように、取付準備状態とした取付治具１００を、遊技用装置の後壁Ｗに向かい合うように配置する。次に、取付治具１００を後壁Ｗに近づけていき、図１０に示されるように、シュート２３及び係止片１１６，１２４を開口部Ｗａ内に挿入する。このとき、係止片１１６の下縁１１６ａの段差部を開口部Ｗａの下縁に係止しておく。
【００５２】
次に、操作ハンドル１２０を前方（後壁Ｗ側）に押し出して、締結部材Ｂ４の係止凹部１２１ｂに対する係止を解除する。これにより、操作ハンドル１２０は、付勢部材１３０の付勢力によって上下方向（スリット開口１１２ｃ，１２１ａの延在方向）に沿って上方に移動する。これに伴い、係止片１２４が開口部Ｗａの上縁と当接する位置（第１の位置）まで移動し、図１１に示されるように、係止片１２４の上縁１２４ａの段差部が開口部Ｗａの上縁に係止する。このとき、付勢部材１３０の付勢力によって係止片１２４が開口部Ｗａの上縁に押しつけられる状態が維持されるので、取付治具１００が後壁Ｗの開口部Ｗａに装着される。以上により、遊技媒体供給具２０が取付治具１００を介して遊技用装置の後壁Ｗに取り付けられる。
【００５３】
一方、遊技用装置に取り付けられている遊技媒体供給具２０を取り外す際には、上記とは逆の手順を経ることとなる。すなわち、まず、図１１に示される状態から、作業者が把持部材１２３を把持して付勢部材１３０の付勢力に抗して操作ハンドル１２０を引き下げる。これにより、図１０に示されるように、係止片１１６，１２４の開口部Ｗａに対する係止が解除される。次に、操作ハンドル１２０を後方（作業者の手前側）に引き寄せて、締結部材Ｂ４を係止凹部１２１ｂに対して係止させる。次に、図９に示されるように、シュート２３及び係止片１１６，１２４を開口部Ｗａ内から抜き出す。以上により、遊技媒体供給具２０が遊技用装置から取り外される。
【００５４】
［作用］
以上の例によれば、単に操作ハンドル１２０を引く操作によって、遊技媒体供給具２０が遊技用装置に対して着脱される。したがって、遊技用装置に対する遊技媒体供給具２０の着脱作業を手間なく短時間で行うことが可能となる。
【００５５】
以上の例によれば、付勢部材１３０は、鉛直方向に沿って操作ハンドル１２０を付勢するように構成されている。そのため、開口部Ｗａに係止される係止片１１６，１２４が上下方向に突っ張ることとなる。したがって、上下方向における取付治具１００のがたつきが低減される。その結果、遊技媒体供給具２０を遊技用装置により確実に取り付けることが可能となる。
【００５６】
以上の例によれば、係止片１１６の下縁１１６ａと、係止片１２４の上縁１２４ａとがそれぞれ階段形状を呈している。そのため、後壁Ｗの厚さが比較的薄い場合には、係止片１１６，１２４の基端側の段差部が開口部Ｗａと係止される。一方、後壁Ｗの厚さが比較的厚い場合には、係止片１１６，１２４の先端側の段差部が開口部と係止される。したがって、一つの取付治具１００で、厚さの異なる複数種類の後壁Ｗに対応することが可能となる。
【００５７】
以上の例によれば、下縁１１６ａの段差部又は上縁１２４ａの段差部は、外方に拡がるように傾斜しうる。この場合、係止片１１６又は係止片１２４が開口部Ｗａに係止される際に、下縁１１６ａの段差部又は上縁１２４ａの段差部の傾斜に沿って、係止片１１６又は係止片１２４が開口部Ｗａに案内されつつ、取付治具１００が遊技用装置に近接する。そのため、遊技媒体供給具２０を遊技用装置により確実且つ円滑に取り付けることが可能となる。
【００５８】
以上の例によれば、係止凹部１２１ｂは、締結部材Ｂ４と共に、付勢部材１３０の付勢力に抗して操作ハンドル１２０（スライド部材１２１）を第２の位置で制止させるロック部として機能している。そのため、操作ハンドル１２０が第２の位置に位置する状態が係止凹部１２１ｂ及び締結部材Ｂ４によって保持されるので、係止片１１６，１２４を開口部Ｗａ内に配置すること及び開口部Ｗａから取り出すことが容易となる。したがって、遊技用装置に対する遊技媒体供給具２０の着脱作業を、いっそう手間なく短時間で行うことが可能となる。
【００５９】
以上の例によれば、係止凹部１２１ｂは、スリット開口１２１ａの延在方向に交差するように、スリット開口１２１ａから窪んでおり、操作ハンドル１２０は、締結部材Ｂ３を中心軸として回転可能とされている。そのため、締結部材Ｂ４が係止凹部１２１ｂ内に位置するように、作業者が操作ハンドル１２０をスイングするだけで、操作ハンドル１２０が第２の位置において制止される。そのため、操作ハンドル１２０を極めて容易に制止状態とすることが可能となる。
【００６０】
以上の例によれば、係止凹部１２１ｂは、係止片１１６，１２４の突出方向（前方）と同じ側に窪んでいる。そのため、作業者が操作ハンドル１２０を手前にスイングするだけで、締結部材Ｂ３が係止凹部１２１ｂに係止され、これにより、操作ハンドル１２０が第２の位置において制止される。そのため、作業者にとって自然な操作により、操作ハンドル１２０を極めて容易に制止状態とすることが可能となる。
【００６１】
［変形例］
本明細書における開示はすべての点で例示であって制限的なものではないと考えられるべきである。特許請求の範囲及びその要旨を逸脱しない範囲において、以上の例に対して種々の省略、置換、変更などが行われてもよい。
【００６２】
（１）係止凹部１２１ｂは、スリット開口１２１ａの上端部以外の部分（例えば、スリット開口１２１ａの中途）に設けられていてもよい。
【００６３】
（２）付勢部材１３０の付勢力に抗して操作ハンドル１２０（スライド部材１２１）を第２の位置で一時的に制止させることができれば、係止凹部１２１ｂ及び締結部材Ｂ４の組み合わせ以外によってロック部が構成されていてもよい。
【００６４】
（３）以上の例では、操作ハンドル１２０の本体１１０（側板１１２）に対するスライドは、スリット開口１１２ｃ，１２１ａ及び締結部材Ｂ３，Ｂ４によって構成されていたが、他の部材（例えば、リニアガイドなど）によって操作ハンドル１２０が本体１１０（側板１１２）に対してスライド可能に取り付けられていてもよい。
【００６５】
（４）操作ハンドル１２０は、本体１１０（側板１１２）に対して左右方向（水平方向）にスライド可能に構成されていてもよい。この場合、係止片１１６，１２４は、下縁１１６ａ及び上縁１２４ａが左右方向（水平方向）において互いに反対向きとなるように配置される。すなわち、下縁１１６ａは、開口部Ｗａの左縁及び右縁の一方に係止可能となるように構成され、上縁１２４ａは、開口部Ｗａの左縁及び右縁の他方に係止可能となるように構成される。あるいは、操作ハンドル１２０は、本体１１０（側板１１２）に対して任意の方向にスライド可能に構成されていてもよい。
【００６６】
（５）下縁１１６ａ又は上縁１２４ａは、多段の階段形状を呈していなくてもよい。すなわち、下縁１１６ａ又は上縁１２４ａは、Ｌ字状を呈していてもよい。
【００６７】
（６）下縁１１６ａ又は上縁１２４ａが段差形状を呈していなくてもよい。この場合、下縁１１６ａ又は上縁１２４ａは、例えば、弾性変形可能なゴム状、ゲル状等を呈していてもよい。あるいは、下縁１１６ａ又は上縁１２４ａが、開口部Ｗａに対する粘着性を有していてもよい。これらの場合、開口部Ｗａに対して係止片１１６，１２４が当接したときに、振動等による係止片１１６，１２４のずれを抑制しつつ、係止片１１６，１２４を開口部Ｗａに取り付けることが可能となる。
【００６８】
［他の例］
例１．遊技媒体供給具用の取付治具の一例は、遊技媒体を取り扱う遊技用装置に遊技媒体を供給するための遊技媒体供給具を遊技用装置の開口部に取り付けるために用いられるものであってもよい。取付治具は、遊技媒体供給具を保持可能に構成された本体と、本体に設けられた第１の係止片と、本体に対してスライド可能に取り付けられたスライド部と、スライド部に設けられた第２の係止片と、第２の係止片が第１の係止片から離間する方向にスライド部を付勢するように構成された付勢部材とを備えていてもよい。スライド部は、付勢部材によって第２の係止片が第１の係止片から離間し且つ第１の係止片及び第２の係止片が開口部に係止する第１の位置と、第２の係止片が第１の位置よりも第１の係止片に近づき且つ第１の係止片及び第２の係止片による開口部への係止が解除される第２の位置との間で移動するように構成されていてもよい。
【００６９】
例１の取付治具を用いて遊技媒体供給具を遊技用装置に取り付ける際には、付勢部材の付勢力に抗する力で作業者がスライド部を引いて、スライド部を第２の位置に移動させるステップと、第１の係止片及び第２の係止片を遊技用装置の開口部に作業者が配置した状態で、作業者がスライド部を離すステップとを経ることとなる。これにより、付勢部材の付勢力によって、スライド部が第１の位置に戻り、さらに、第１の係止片及び第２の係止片が開口部に押しつけられる。したがって、第１の係止片及び第２の係止片が開口部に係止され、遊技媒体供給具が取付治具を介して遊技用装置に取り付けられる。一方、例１の取付治具を用いて遊技媒体供給具を遊技用装置から取り付す際には、付勢部材の付勢力に抗する力で作業者がスライド部を引いて、スライド部を第２の位置に移動させることにより、第１の係止片及び第２の係止片の開口部に対する係止を解放するステップと、第１の係止片及び第２の係止片を開口部から抜き出すステップとを経ることとなる。このように、例１の取付治具によれば、単にスライド部を引く操作によって、遊技媒体供給具が遊技用装置に着脱される。したがって、遊技用装置に対する遊技媒体供給具の着脱作業を手間なく短時間で行うことが可能となる。
【００７０】
例２．例１の取付治具において、付勢部材は、鉛直方向に沿ってスライド部を付勢するように構成されていてもよい。この場合、開口部に係止される第１の係止片及び第２の係止片が上下方向に突っ張ることとなる。そのため、上下方向における取付治具のがたつきが低減される。したがって、遊技媒体供給具を遊技用装置により確実に取り付けることが可能となる。
【００７１】
例３．例１又は例２の取付治具において、第１の係止片は、第２の係止片とは反対側に位置する第１の側縁を含んでいてもよい。第２の係止片は、第１の係止片とは反対側に位置する第２の側縁とを含んでいてもよい。第１の側縁は、第１の係止片の先端に向かうにつれて、第２の係止片との離間距離が段階的に増加する階段形状を呈していてもよい。第２の側縁は、第２の係止片の先端に向かうにつれて、第１の係止片との離間距離が段階的に増加する階段形状を呈していてもよい。この場合、開口部が設けられている遊技用装置の板材の厚さが比較的薄い場合には、第１の係止片及び第２の係止片の基端側の段差部が開口部と係止される。一方、開口部が設けられている遊技用装置の板材の厚さが比較的厚い場合には、第１の係止片及び第２の係止片の先端側の段差部が開口部と係止される。そのため、一つの取付治具で、厚さの異なる複数種類の板材に対応することが可能となる。
【００７２】
例４．例３の取付治具において、第１の側縁の段差部は、外方に拡がるように傾斜していてもよい。第２の側縁は、外方に拡がるように傾斜していてもよい。この場合、第１の係止片及び第２の係止片が開口部に係止される際に、第１の側縁の段差部及び第２の側縁の段差部の傾斜に沿って第１の係止片及び第２の係止片が開口部に案内されつつ、取付治具が遊技用装置に近接する。そのため、遊技媒体供給具を遊技用装置により確実且つ円滑に取り付けることが可能となる。
【００７３】
例５．例１〜例４のいずれかの取付治具は、付勢部材の付勢力に抗してスライド部を第２の位置において制止させるように構成されたロック部をさらに備えていてもよい。この場合、スライド部が第２の位置に位置する状態がロック部によって保持されるので、第１の係止片及び第２の係止片を開口部内に配置すること及び開口部から取り出すことが容易となる。したがって、遊技用装置に対する遊技媒体供給具の着脱作業を、いっそう手間なく短時間で行うことが可能となる。
【００７４】
例６．例５の取付治具において、本体は、長孔状を呈する第１のスリット開口を含んでいてもよい。スライド部は、長孔状を呈する第２のスリット開口を含んでいてもよい。第１のスリット開口内には、スライド部に設けられた第１の案内部材が配置されていてもよい。第２のスリット開口内には、本体に設けられた第２の案内部材が配置されていてもよい。第１の案内部材及び第２の案内部材は、第１のスリット開口及び第２のスリット開口の長手方向においてスライド部を案内するように構成されていてもよい。ロック部は、第２のスリット開口の長手方向に対して交差するように第２のスリット開口から窪み且つ第２の案内部材が係止可能に構成された係止凹部であってもよい。この場合、第２の案内部材が係止凹部内に位置するように、作業者がスライド部をスイングするだけで、スライド部が第２の位置において制止される。そのため、スライド部を極めて容易に制止状態とすることが可能となる。
【００７５】
例７．例６の取付治具において、係止凹部は、第１の係止片及び第２の係止片の突出方向と同じ側に窪んでいてもよい。この場合、作業者がスライド部を手前にスイングするだけで、第２の案内部材が係止凹部に係止され、これにより、スライド部が第２の位置において制止される。そのため、作業者にとって自然な操作により、スライド部を極めて容易に制止状態とすることが可能となる。
【符号の説明】
【００７６】
１…遊技システム、２…遊技機（遊技用装置）、３…貸出装置（遊技用装置）、１０…供給装置、２０…遊技媒体供給具、１００…取付治具、１１０…本体、１１２…側板、１１２ｃ…スリット開口（第１のスリット開口）、１１６…係止片（第１の係止片）、１１６ａ…下縁（第１の側縁）、１２０…操作ハンドル（スライド部）、１２１…スライド部材（スライド部）、１２１ａ…スリット開口（第２のスリット開口）、１２１ｂ…係止凹部（ロック部）、１２２…補助部材（スライド部）、１２４…係止片（第２の係止片）、１２４ａ…上縁（第２の側縁）、１３０…付勢部材、Ｂ３…締結部材（第１の案内部材）、Ｂ４…締結部材（第２の案内部材、ロック部）、Ｗ…後壁、Ｗａ…開口部。
【要約】
【課題】本開示は、手間なく短時間で着脱作業を行うことが可能な遊技媒体供給具用の取付治具を説明する。
【解決手段】遊技媒体供給具用の取付治具は、遊技媒体供給具を保持可能に構成された本体と、本体に設けられた第１の係止片と、本体に対してスライド可能に取り付けられたスライド部と、スライド部に設けられた第２の係止片と、第２の係止片が第１の係止片から離間する方向にスライド部を付勢するように構成された付勢部材とを備える。スライド部は、付勢部材によって第２の係止片が第１の係止片から離間し且つ第１の係止片及び第２の係止片が開口部に係止する第１の位置と、第２の係止片が第１の位置よりも第１の係止片に近づき且つ第１の係止片及び第２の係止片による開口部への係止が解除される第２の位置との間で移動するように構成されている。
【選択図】図４【図１】
0006864940.tif 000002
【図２】
0006864940.tif 000003
【図３】
0006864940.tif 000004
【図４】
0006864940.tif 000005
【図５】
0006864940.tif 000006
【図６】
0006864940.tif 000007
【図７】
0006864940.tif 000008
【図８】
0006864940.tif 000009
【図９】
0006864940.tif 000010
【図１０】
0006864940.tif 000011
【図１１】
0006864940.tif 000012